(57)【特許請求の範囲】
【請求項１】
ＣＨ３−Ｏ−ＣＨ３に−ＯＨ基を有する揮散抑止剤を加えて液化した液化低公害燃料であって、上記揮散抑止剤は化学式１：ＲＯＨで示される化合物又は化学式２：ＲＯ（ＣＨ２ＣＨ２Ｏ）ｎＨで示される化合物の一又は二以上であり、上記化学式１：ＲＯＨで示される化合物は（ＣＨ３）３Ｃ−ＯＨ又は（ＣＨ３）２ＣＨ−ＣＨ２ＯＨであり、上記化学式２：ＲＯ（ＣＨ２ＣＨ２Ｏ）ｎＨで示される化合物はＣ２Ｈ５ＯＣＨ２ＣＨ２ＯＨであることを特徴とする液化低公害燃料。
【請求項２】
ＣＨ３−Ｏ−ＣＨ３に−ＯＨ基を有する揮散抑止剤を加え、加圧又は加圧と冷却により液化を促す液化低公害燃料の製造法であって、上記揮散抑止剤は化学式１：ＲＯＨで示される化合物又は化学式２：ＲＯ（ＣＨ２ＣＨ２Ｏ）ｎＨで示される化合物の一又は二以上であり、上記化学式１：ＲＯＨで示される化合物は（ＣＨ３）３Ｃ−ＯＨ又は（ＣＨ３）２ＣＨ−ＣＨ２ＯＨであり、上記化学式２：ＲＯ（ＣＨ２ＣＨ２Ｏ）ｎＨで示される化合物はＣ２Ｈ５ＯＣＨ２ＣＨ２ＯＨであることを特徴とする液化低公害燃料の製造法。
【発明の詳細な説明】
【０００１】
【発明の属する技術分野】
本発明はディーゼルエンジン等に用いる低公害燃料に関する。
【０００２】
【従来の技術と発明が解決しようとする課題】
車輌や船舶や発電装置等においてはディーゼルエンジンが用いられており、このディーゼルエンジンの燃料として軽油や重油等が用いられており、これら軽油や重油を用いたディーゼルエンジンの排ガスは多量の浮遊粒子状物質、窒素酸化物、ハイドロカーボン、アルデヒドの有害物質を含み、大気汚染並びに公害病の要因となっている。
【０００３】
現在ディーゼルエンジンの燃料として使われている軽油と重油を、ディーゼルエンジン特有の燃焼形式である圧縮爆発によって完全燃焼させることは極めて困難であり、このために上記排ガス問題を惹起している。
【０００４】
このような排ガス問題を解消せんとして、フィルター機能や二次燃焼機能を併備せる各種排ガス処理装置を排ガスの出口に取り付ける方策が採られているが、これらは経年劣化を来たし、性能を低下させる問題や、高価であり、しかも上記公害要素の効率的除去を望むにはあまりにも多くの技術的課題を抱えており、現状では抜本的な解決とはなっていない。
【０００５】
他方、ＣＨ３−Ｏ−ＣＨ３（ジメチルエーテル）はセタン価が高く、軽油の上記公害問題を有効に解決しうる低公害燃料であることが知られているが、沸点が−２４．８度で常温常圧ではガスであり、これを液化してこの液化状態を持続させることは極めて困難とされており、軽油と同様の液体燃料としての実用にはその解決が課題となっている。
【０００６】
【課題を解決するための手段】
本発明は上記ジメチルエーテルを液化し且つ該液化状態を通常の使用状態において安定に持続させることができる液化低公害燃料とその製造法を提供する。
【０００７】
即ち本発明は、ＣＨ３−Ｏ−ＣＨ３（ジメチルエーテル）に−ＯＨ基を有する揮散抑止剤を加えて液化している液化低公害燃料を提供する。
【０００８】
又本発明は、ＣＨ３−Ｏ−ＣＨ３（ジメチルエーテル）と、これに加えた上記−ＯＨ基を有する揮散抑止剤とが水素結合し、且つ揮散抑止剤相互が水素結合している液化低公害燃料を提供する。
【０００９】
上記液化低公害燃料は、ＣＨ３−Ｏ−ＣＨ３に−ＯＨ基を有する揮散抑止剤を加え、加圧又は加圧と冷却により液化を促す方法によって製造される。
【００１０】
上記液化低公害燃料及びその製造法に用いる揮散抑止剤としては、化学式１：ＲＯＨで示される化合物又は化学式２：ＲＯ（ＣＨ２ＣＨ２Ｏ）ｎＨで示される化合物の一つを用いるか、又は二以上を併用する。例えば、（ＣＨ３）３Ｃ−ＯＨ（ターシャルブチルアルコール）又は（ＣＨ３）２ＣＨ−ＣＨ２ＯＨ（イソブチルアルコール）又はＣ２Ｈ５ＯＣＨ２ＣＨ２ＯＨ（エチレングリコールモノエチルエーテル）の一つを用いるか、又は二以上を併用する。
【００１１】
【発明の実施の形態】
ＣＨ３−Ｏ−ＣＨ３（ジメチルエーテル）は天然ガス（メタン）より製造されたＣＨ３ＯＨ（メタノール）を脱水する既知の方法で得られ、入手性とコストにおいて優位であり、軽油代替燃料としての市場性に富む。
【００１２】
ＣＨ３−Ｏ−ＣＨ３（ジメチルエーテル）は圧力と冷却を与えることによって液化することが可能であるが、この液化状態を安定に維持することが困難であり、これを解決すべく種々検討の結果、分子間結合、殊に結合度が最も強固で安定な水素結合について着目した。
【００１３】
−ＦＨ基，−ＮＨ基，−ＯＨ基は、電気陰性度が最も強く水素結合に適していることが知られており、発明者はこの三者中−ＦＨ基，−ＮＨ基は燃焼時に有害物質を発生することから、−ＯＨ基を有する物質を揮散抑止剤として利用したジメチルエーテルの液状化を試行したところ、この方法によって得られた燃料は、液化と液化状態の安定なる維持が可能であることを見いだした。
【００１４】
上記−ＯＨ基を有する揮散抑止剤としては、下記のアルコール又はｎエチレングリコールモノアルキルエーテルが掲げられる。
【００１５】
１．ＲＯＨ  アルコール
（１）（ＣＨ３）２ＣＨ−ＣＨ２ＯＨ            イソブチルアルコール
（２）（ＣＨ３）３ＣＯＨ                      ターシャルブチルアルコール
【００１６】
２．ＲＯ（ＣＨ２ＣＨ２Ｏ）ｎＨ  ｎエチレングリコールモノアルキルエーテル
（１）ＲＯＣＨ２ＣＨ２ＯＨ
エチレングリコールモノアルキルエーテル群
例えば  Ｃ２Ｈ５ＯＣＨ２ＣＨ２ＯＨ
エチレングリコールモノエチルエーテル
【００１８】
実験によれば上記１，２中の何れも水素結合による液化とその維持効果が得られた。
【００１９】
次に製造法の具体例について説明する。
＜第一の方法＞
気密タンクにガス状のＣＨ３−Ｏ−ＣＨ３（ジメチルエーテル）を充填すると共に、−ＯＨ基を有する前記１乃至３中の揮散抑止剤の一又は二以上を加え、内圧が５〜７気圧程度になる迄圧縮を継続する。実験においては両者の好ましい配合比として、ジメチルエーテルは重量比９７〜８５％、揮散抑止剤は重量比３〜１５％の範囲で選択した。
【００２０】
＜第二の方法＞
気密タンクにガス状のＣＨ３−Ｏ−ＣＨ３（ジメチルエーテル）を充填すると共に、−ＯＨ基を有する前記１乃至３中の揮散抑止剤の一又は二以上を加え、内圧が５〜７気圧程度になる迄圧縮を継続すると同時に、この圧縮の間内圧との相関関係において内部温度−２４．７℃以下、例えば−３０〜−７０℃程度で冷却する。実験においては両者の好ましい配合比として、ジメチルエーテルは重量比９７〜８５％、揮散抑止剤は重量比３〜１５％の範囲で選択した。
【００２１】
第一の方法においては、ジメチルエーテルの圧縮過程において揮散抑止剤を添加し圧縮を継続する方法、又は気密タンク内にガス状ジメチルエーテルと揮散抑止剤とを注入した後圧縮を行う方法、又は気密タンク内に揮散抑止剤を入れた後ガス状ジメチルエーテルを注入しつつ圧縮する方法を含む。
【００２２】
第二の方法においては、ジメチルエーテルの圧縮過程において揮散抑止剤を添加し圧縮と冷却を継続する方法、又は気密タンク内にガス状ジメチルエーテルと揮散抑止剤とを注入した後圧縮と冷却を行う方法、又は気密タンク内に揮散抑止剤を入れた後ガス状ジメチルエーテルを注入しつつ圧縮と冷却を行う方法を含む。
【００２３】
上記第一、第二の方法によって製造された燃料は、ＣＨ３−Ｏ−ＣＨ３（ジメチルエーテル）の−Ｏ−と揮散抑止剤の−ＯＨ基のＯとが該−ＯＨ基のＨを介して水素結合している。この結合状態は［化学式１］に示す。この化学式においては揮散抑止剤として（ＣＨ３）３ＣＯＨ（ターシャルブチルアルコール）を用いた例を示している。
【化学式１】
0003954789.tif 000002
【００２４】
又上記各方法によって製造された燃料は、ＣＨ３−Ｏ−ＣＨ３（ジメチルエーテル）の−Ｏ−と揮散抑止剤の−ＯＨ基のＯとが該−ＯＨ基のＨを介して水素結合すると共に、揮散抑止剤相互が−ＯＨ基を介して水素結合している。［化学式２］はこの揮散抑止剤相互の結合状態を示す。この化学式においては揮散抑止剤として（ＣＨ３）３ＣＯＨ（ターシャルブチルアルコール）を用いた例を示している。
【化学式２】
0003954789.tif 000003
【００２５】
上記第一の方法に比べ第二の方法においては上記［化学式１］に示す水素結合と、［化学式２］に示す水素結合が顕著であり、［化学式２］で示す水素結合は化学式１で示す水素結合を補完し、分子間結合を強化し、ジメチルエーテルの液化状態をより安定に保持する。
【００２６】
上記第一、第二の方法によって製造された燃料は、ＣＨ３−Ｏ−ＣＨ３（ジメチルエーテル）と揮散抑止剤とが溶媒和して液化状態を維持している。
【００２７】
溶媒和は水素結合、静電的相互作用による結合、電荷移動結合、配位結合等の一又は二以上が組み合わさって分子結合を惹起させている現象であり、本発明においても水素結合を補完して静電的相互作用による結合、電荷移動結合、配位結合による一又は二以上が重畳して生じ、液化状態を安定に持続させている。
【００２８】
上記ジメチルエーテルの液化燃料について燃焼試験を行ったところ、軽油と同等の燃焼性が得られ、燃焼エネルギーがやや低下するものの、軽油，重油，灯油の排出ガス中の浮遊粒子状物質（ＰＭ）の排出量を７０〜８０％を削減でき、更に窒素酸化物（ＮＯｘ）の排出量を１０〜３０％、ハイドロカーボン（ＨＣ）の排出量を約５０〜６０％、同様に一酸化炭素の排出量を約５０〜６０％夫々低減できた。
【００２９】
本発明によって得られたジメチルエーテルの液化燃料は、ディーゼルエンジンの燃料として用いられている軽油に代わる低公害燃料として極めて有効であり、軽油を全く用いずに上記液化燃料を燃料として用いるか、又は上記液化燃料を軽油と混合して使用するものであり、本発明は何れの場合も含むものである。
【００３０】
ジメチルエーテルの上記液化燃料は、高圧ボンベに密閉状態で使用状態に供することができる。